(57)【特許請求の範囲】
【請求項１】
バッテリーモジュールを管理するスレーブバッテリー管理部にマスターバッテリー管理部が固有識別子を割り当てる方法であって、
前記スレーブバッテリー管理部に割当情報を要請するステップ；
前記スレーブバッテリー管理部から前記割当情報を受信するステップ；および
前記割当情報に基づいて前記スレーブバッテリー管理部に対する固有識別子を割り当てるステップ；を含み、
前記割当情報は、前記スレーブバッテリー管理部と前記バッテリーモジュールとの間にキャリブレーション（Ｃａｌｉｂｒａｔｉｏｎ）を行った装置のＭＡＣアドレスと前記キャリブレーションを行った時間に関する時間情報とを含むことを特徴とする固有識別子を割り当てる方法。
【請求項２】
前記割当情報は、複数のデータブロックに分けられて順次受信されることを特徴とする、請求項１に記載の固有識別子を割り当てる方法。
【請求項３】
前記マスターバッテリー管理部には、複数の前記スレーブバッテリー管理部が連結されることを特徴とする、請求項１または２に記載の固有識別子を割り当てる方法。
【請求項４】
前記固有識別子を割り当てるステップは、
前記割当情報に基づいて前記マスターバッテリー管理部に連結される前記複数のスレーブバッテリー管理部の個数を決定するステップ；および
前記複数のスレーブバッテリー管理部の各々に互いに重複しない固有識別子を割り当てるステップ；を含むことを特徴とする、請求項３に記載の固有識別子を割り当てる方法。
【請求項５】
前記固有識別子のビット数は、前記割当情報のビット数より少ないことを特徴とする、請求項１から４のいずれか一項に記載の固有識別子を割り当てる方法。
【請求項６】
前記複数のデータブロックの各々のビット数は、２９ビット以下であることを特徴とする、請求項２に記載の固有識別子を割り当てる方法。
【請求項７】
前記マスターバッテリー管理部と前記スレーブバッテリー管理部は、ＣＡＮ通信を行うことを特徴とする、請求項１から６のいずれか一項に記載の固有識別子を割り当てる方法。
【請求項８】
前記スレーブバッテリー管理部と前記キャリブレーションを行った装置は、ＲＳ  ２３２通信を行うことを特徴とする、請求項１から７のいずれか一項に記載の固有識別子を割り当てる方法。
【請求項９】
バッテリーモジュールを管理し、割当情報が設定されたスレーブバッテリー管理部；および
前記割当情報に基づいて前記スレーブバッテリー管理部に対する固有識別子を割り当てし、前記スレーブバッテリー管理部と連結され、前記スレーブバッテリー管理部を制御することによって前記バッテリーモジュールを管理するマスターバッテリー管理部；を含み、
前記割当情報は、前記スレーブバッテリー管理部と前記バッテリーモジュールとの間にキャリブレーション（Ｃａｌｉｂｒａｔｉｏｎ）を行った装置のＭＡＣアドレスと前記キャリブレーションを行った時間に関する時間情報とを含むことを特徴とするバッテリー管理システム。
【請求項１０】
前記マスターバッテリー管理部は、
前記スレーブバッテリー管理部と通信を行い、前記スレーブバッテリー管理部に前記割当情報を要請し受信するマスター通信部；および
前記割当情報に基づいて前記スレーブバッテリー管理部に対する前記固有識別子を割り当てるＩＤ割当部；を含むことを特徴とする、請求項９に記載のバッテリー管理システム。
【請求項１１】
前記スレーブバッテリー管理部は、
前記マスターバッテリー管理部と通信を行い、前記マスターバッテリー管理部の要請によって前記割当情報を伝送するスレーブ通信部；および
前記マスターバッテリー管理部によって割り当てられた前記識別子を格納するメモリ部；を含むことを特徴とする、請求項９または１０に記載のバッテリー管理システム。
【請求項１２】
前記スレーブ通信部は、前記割当情報を複数のデータブロックに分けて順次伝送することを特徴とする、請求項１１に記載のバッテリー管理システム。
【請求項１３】
前記マスターバッテリー管理部には、複数の前記スレーブバッテリー管理部が連結されることを特徴とする、請求項１０から１２のいずれか一項に記載のバッテリー管理システム。
【請求項１４】
前記ＩＤ割当部は、前記マスターバッテリー管理部に連結された前記複数のスレーブバッテリー管理部の個数を決定して、前記複数のスレーブバッテリー管理部の各々に互いに重複しない前記固有識別子を割り当てることを特徴とする、請求項１３に記載のバッテリー管理システム。
【請求項１５】
前記固有識別子のビット数は、前記割当情報のビット数より少ないことを特徴とする、請求項９から１４のいずれか一項に記載のバッテリー管理システム。
【請求項１６】
前記複数のデータブロックの各々のビット数は、２９ビット以下であることを特徴とする、請求項１２に記載のバッテリー管理システム。
【請求項１７】
前記マスターバッテリー管理部と前記スレーブバッテリー管理部は、ＣＡＮ通信を行うことを特徴とする、請求項９から１６のいずれか一項に記載のバッテリー管理システム。
【請求項１８】
前記スレーブバッテリー管理部と前記キャリブレーションを行った装置は、ＲＳ  ２３２通信を行うことを特徴とする、請求項９から１７のいずれか一項に記載のバッテリー管理システム。
【発明の詳細な説明】
【技術分野】
【０００１】
本発明は、バッテリー管理システムに関し、より詳しくは、固有識別子を割り当てる方法およびそれを用いたバッテリー管理システムに関する。
【背景技術】
【０００２】
一般的に、電力貯蔵分野においては、高出力および／または高容量の電気エネルギーを得るために、複数のバッテリーパックを直列および／または並列に連結したパッケージ化された構造を利用している。
【０００３】
このような複数のバッテリーパックをパッケージ化した構造においては、バッテリーパック数が変更可能であり、また、バッテリーパック数が増加するにつれて、各バッテリーパックを制御し管理することが難しくなる。これにより、大半のバッテリー管理システムにおいては、特定のバッテリー管理システムをマスターに設定し、残りをスレーブに設定する階層的構造をなしている。すなわち、マスターバッテリー管理システムが複数のスレーブバッテリー管理システムを制御することにより、各スレーブバッテリー管理システムと連結された各バッテリーパックを制御し管理することができる。
【０００４】
この時、マスターバッテリー管理システムがより効率的に各スレーブバッテリー管理システムを制御するためには、各スレーブバッテリー管理システムを認識し識別できる技法が必要である。さらに、バッテリーパック数が増加する場合にも各スレーブバッテリー管理システムを固有に識別できる技法が必要である。
【発明の概要】
【発明が解決しようとする課題】
【０００５】
本発明は、複数のバッテリーモジュールを効率的に制御し管理するために、複数のバッテリーモジュールの各々に設定された割当情報を利用して、複数のバッテリーモジュールの各々と連結された複数のスレーブバッテリー管理システムの各々に対する固有識別子を割り当てる方法およびそれを用いたバッテリー管理システムを提供する。
【課題を解決するための手段】
【０００６】
本発明の一実施形態は、バッテリーモジュールを管理するスレーブバッテリー管理部にマスターバッテリー管理部が固有識別子を割り当てる方法であって、前記スレーブバッテリー管理部に割当情報を要請するステップ、前記スレーブバッテリー管理部から前記割当情報を受信するステップ、および前記割当情報に基づいて前記スレーブバッテリー管理部に対する固有識別子を割り当てるステップを含み、前記割当情報は、前記スレーブバッテリー管理部と前記バッテリーモジュールとの間にキャリブレーション（Ｃａｌｉｂｒａｔｉｏｎ）を行った装置のＭＡＣアドレスと前記キャリブレーションを行った時間に関する時間情報とを含む。
【０００７】
この時、前記割当情報は、複数のデータブロックに分けられて順次受信されてもよい。
【０００８】
また、前記マスターバッテリー管理部には、複数の前記スレーブバッテリー管理部が連結されてもよい。
【０００９】
本実施形態において、前記固有識別子を割り当てるステップは、前記割当情報に基づいて前記マスターバッテリー管理部に連結される前記複数のスレーブバッテリー管理部の個数を決定するステップ、および前記複数のスレーブバッテリー管理部の各々に互いに重複しない固有識別子を割り当てるステップを含む。
【００１０】
一方、前記固有識別子のビット数は前記割当情報のビット数より少なく、前記複数のデータブロックの各々のビット数は２９ビット以下である。
【００１１】
また、前記マスターバッテリー管理部と前記スレーブバッテリー管理部はＣＡＮ通信を行ってもよく、前記スレーブバッテリー管理部と前記キャリブレーションを行った装置はＲＳ  ２３２通信を行ってもよい。
【００１２】
本発明の他の実施形態は、バッテリー管理システムに関するものであり、バッテリーモジュールを管理し、割当情報が設定されたスレーブバッテリー管理部、および前記割当情報に基づいて前記スレーブバッテリー管理部に対する固有識別子を割り当てし、前記スレーブバッテリー管理部と連結され、前記スレーブバッテリー管理部を制御することによって前記バッテリーモジュールを管理するマスターバッテリー管理部を含み、前記割当情報は、前記スレーブバッテリー管理部と前記バッテリーモジュールとの間にキャリブレーション（Ｃａｌｉｂｒａｔｉｏｎ）を行った装置のＭＡＣアドレスと前記キャリブレーションを行った時間に関する時間情報とを含む。
【００１３】
前記マスターバッテリー管理部は、前記スレーブバッテリー管理部と通信を行い、前記スレーブバッテリー管理部に前記割当情報を要請し受信するマスター通信部、および前記割当情報に基づいて前記スレーブバッテリー管理部に対する前記固有識別子を割り当てるＩＤ割当部を含む。
【００１４】
前記スレーブバッテリー管理部は、前記マスターバッテリー管理部と通信を行い、前記マスターバッテリー管理部の要請によって前記割当情報を伝送するスレーブ通信部、および前記マスターバッテリー管理部によって割り当てられた前記識別子を格納するメモリ部を含む。
【００１５】
この時、前記スレーブ通信部は、前記割当情報を複数のデータブロックに分けて順次伝送してもよい。
【００１６】
また、前記マスターバッテリー管理部には、複数の前記スレーブバッテリー管理部が連結されてもよい。
【００１７】
なお、前記ＩＤ割当部は、前記マスターバッテリー管理部に連結された前記複数のスレーブバッテリー管理部の個数を決定して、前記複数のスレーブバッテリー管理部の各々に互いに重複しない前記固有識別子を割り当ててもよい。
【００１８】
一方、前記固有識別子のビット数は前記割当情報のビット数より少なく、前記複数のデートブロックの各々のビット数は２９ビット以下である。
【００１９】
また、前記マスターバッテリー管理部と前記スレーブバッテリー管理部はＣＡＮ通信を行ってもよく、前記スレーブバッテリー管理部と前記キャリブレーションを行った装置はＲＳ  ２３２通信を行ってもよい。
【発明の効果】
【００２０】
本発明によれば、複数のバッテリーモジュールの各々に設定された割当情報を利用して、複数のバッテリーモジュール各々と連結された複数のスレーブバッテリー管理システムの各々に対する固有識別子を割り当てることができ、これにより、複数のバッテリーモジュールを効率的に制御し管理することができる。
【図面の簡単な説明】
【００２１】
【図１】本発明の実施形態によるバッテリー管理システム１００（Ｂａｔｔｅｒｙ  Ｍａｎａｇｅｍｅｎｔ  Ｓｙｓｔｅｍ；ＢＭＳ）の構成を概略的に示すブロック図である。
【図２】本発明の実施形態によるスレーブバッテリー管理部に割当情報が設定される過程を説明するための概略的な図である。
【図３】本発明の実施形態によるマスターバッテリー管理部およびスレーブバッテリー管理部の詳細ブロック図である。
【図４】本発明の実施形態によるマスターバッテリー管理部が複数のスレーブバッテリー管理部の各々に固有識別子を割り当てる方法を示すフローチャートである。
【図５】本発明の実施形態によるＭＡＣアドレスとキャリブレーションを行った時間に関する時間情報の構成および大きさを示す図である。
【発明を実施するための形態】
【００２２】
以下では、添付図面を参照し、本発明の実施形態について本発明が属する技術分野で通常の知識を有した者が容易に実施できるように詳細に説明する。また、本発明は、以下で説明する実施形態に限定されず、本発明の技術的思想の範囲内で色々な相異なる形態で適用されることができる。
【００２３】
本明細書で説明する構成要素は、必要に応じて、以下で説明する構成要素以外のものを含むことができ、本発明に直接な関連のない部分または重複する内容については詳しい説明は省略する。また、本明細書で説明する各構成要素の配置は必要に応じて調整することができ、１つの構成要素が他の構成要素に含まれてもよく、１つの構成要素が２つ以上の構成要素に細分化されてもよい。
【００２４】
図１は、本発明の実施形態によるバッテリー管理システム１００（Ｂａｔｔｅｒｙ  Ｍａｎａｇｅｍｅｎｔ  Ｓｙｓｔｅｍ；ＢＭＳ）の構成を概略的に示すブロック図である。
【００２５】
図１を参照すれば、ＢＭＳ１００は、マスターバッテリー管理部１１０、複数のスレーブバッテリー管理部１２０＿１〜１２０＿Ｎ、複数のバッテリーモジュール１３０＿１〜１３０＿Ｎを含むバッテリーパック１３０で構成される。
【００２６】
複数のバッテリーモジュール１３０＿１〜１３０＿Ｎの各々は複数のバッテリーセルの各々を含むことができ、複数のバッテリーセルは直列および／または並列に連結されることができる。また、複数のバッテリーモジュール１３０＿１〜１３０＿Ｎは直列および／または並列に連結され、高出力および／または高容量のバッテリーパック１３０を形成することができる。
【００２７】
スレーブバッテリー管理部１２０＿１〜１２０＿Ｎの各々はバッテリーモジュール１３０＿１〜１３０＿Ｎの各々と連結され、自身に連結されたバッテリーモジュール１３０＿１〜１３０＿Ｎを制御し管理する。
【００２８】
マスターバッテリー管理部１１０は、バッテリーパック１３０を制御し管理するために、各スレーブバッテリー管理部１２０＿１〜１２０＿Ｎと連結され、これらを介して各バッテリーモジュール１３０＿１〜１３０＿Ｎを制御し管理することができる。
【００２９】
このために、マスターバッテリー管理部１１０は、バッテリーモジュール１３０＿１〜１３０＿Ｎの各々を識別することができるように、これらと連結されたスレーブバッテリー管理部１２０＿１〜１２０＿Ｎの各々に固有識別子（Ｉｄｅｎｔｉｆｉｅｒ；ＩＤ）を割り当てることができる。
【００３０】
例えば、マスターバッテリー管理部１１０は、複数のスレーブバッテリー管理部１２０＿１〜１２０＿Ｎと連結され、ＣＡＮ（Ｃｏｎｔｒｏｌｌｅｒ  Ａｒｅａ  Ｎｅｔｗｏｒｋ）などのような通信方法を介して、固有識別子の割当のための割当情報を複数のスレーブバッテリー管理部１２０＿１〜１２０＿Ｎに要請し受信することができる。ここで、割当情報は、各スレーブバッテリー管理部１２０＿１〜１２０＿Ｎと、これと各々連結されたバッテリーモジュール１３０＿１〜１３０＿Ｎの各々との間に、キャリブレーション（Ｃａｌｉｂｒａｔｉｏｎ）を行った装置のＭＡＣ（Ｍｅｄｉａ  Ａｃｃｅｓｓ  Ｃｏｎｔｒｏｌ）アドレスとキャリブレーションを行った時間に関する情報とを含む。一方、複数のスレーブバッテリー管理部１２０＿１〜１２０＿Ｎの各々は、自身に設定された割当情報、すなわち、ＭＡＣアドレスとキャリブレーション時間情報とをマスターバッテリー管理部１１０に伝送し、その後、マスターバッテリー管理部１１０は、受信した割当情報に基づいて、スレーブバッテリー管理部１２０＿１〜１２０＿Ｎの各々に対する固有識別子を割り当てることができる。
【００３１】
以下では、図２を参照し、スレーブバッテリー管理部１２０＿１〜１２０＿Ｎに割当情報が設定される過程を具体的に説明する。
【００３２】
図２を参照すれば、本発明によるバッテリーモジュール２１およびそれを含むＢＭＳ２０は、製造過程のうち最終ステップにおいてキャリブレーションを行う。ここで、キャリブレーションとは、バッテリーの設計時の効率に最も近接するように、実際生産されたバッテリーの情報を補正することをいう。
【００３３】
この時、ＢＭＳ２０はキャリブレーション装置１０と連結され、バッテリーモジュール２１をキャリブレーションするようにする。例えば、ＢＭＳ２０とキャリブレーション装置１０は、ＲＳ  ２３２などのような通信を介してキャリブレーションを行うことができる。
【００３４】
また、ＢＭＳ２０は、キャリブレーション装置１０から割当情報を受信する。すなわち、キャリブレーション装置１０のＭＡＣアドレスとキャリブレーションを行った時の時間情報とを受信することができる。このような割当情報は、例えば、ＢＭＳ２０内のＥＥＰＲＯＭ（Ｅｌｅｃｔｒｉｃａｌｌｙ  Ｅｒａｓａｂｌｅ  Ｐｒｏｇｒａｍ  ＲＯＭ）などのようなメモリに格納されることができる。
【００３５】
ここで、ＭＡＣアドレスは、装置間の通信を行うために用いられるネットワークカードの物理的なアドレスであり、固有な値を有する。また、キャリブレーションを行った時の時間情報も同一ＭＡＣアドレスを有したＢＭＳ２０に対しては固有な情報であることができる。例えば、コンベヤーベルト３０に沿って移動する複数のバッテリーモジュール２１は、キャリブレーションを行うためにキャリブレーション装置１０と連結される。この時、キャリブレーション装置１０と１つのバッテリーモジュール２１が連結されてキャリブレーションが行われた後、また他の１つのバッテリーモジュール２１と連結されてキャリブレーションが行われる。すなわち、同一のキャリブレーション装置１０においてキャリブレーションが順次行われるため、各ＢＭＳ２０は相異なる時間情報を設定するようになる。
【００３６】
上述したように、各ＢＭＳ２０は、固有な割当情報、すなわち、ＭＡＣアドレスとキャリブレーションを行った時間に関する時間情報とを設定し、このような割当情報を利用すれば、バッテリーモジュール２１の数に関わらず、各バッテリーモジュール２１を認識して、互いに重複しない固有な識別子を割り当てることができる。これにより、各バッテリーモジュール２１をより容易に識別することができ、さらには、効率的に制御し、持続的に管理することができる。
【００３７】
図３は、本発明の実施形態によるマスターバッテリー管理部およびスレーブバッテリー管理部の詳細ブロック図である。
【００３８】
図３を参照すれば、マスターバッテリー管理部１１０は、マスター通信部１１１およびＩＤ割当部１１３を含む。
【００３９】
マスター通信部１１１は、各スレーブバッテリー管理部１２０＿１〜１２０＿Ｎと通信を行う。例えば、ＣＡＮなどのような通信方法を利用して、各スレーブバッテリー管理部１２０＿１〜１２０＿Ｎに固有識別子の割当のための割当情報を要請し、各スレーブバッテリー管理部１２０＿１〜１２０＿Ｎから割当情報を受信することができる。すなわち、各スレーブバッテリー管理部１２０＿１〜１２０＿ＮにＭＡＣアドレスとキャリブレーションを行った時間に関する時間情報とを要請し受信する。
【００４０】
この時、通信方法に応じて、マスター通信部１１１は、各スレーブバッテリー管理部１２０＿１〜１２０＿Ｎから割当情報を複数のデータブロックに分けて順次受信することができる。例えば、拡張モードのＣＡＮ通信を使う場合、ＣＡＮメッセージの識別子フィールドが２９ビットに設定されているため、一度に各スレーブバッテリー管理部１２０＿１〜１２０＿Ｎから最大２９ビットからなるデータブロックを受信することができる。このような複数のデータブロックを順次受信して、スレーブバッテリー管理部１２０＿１〜１２０＿Ｎの各々に設定された割当情報の伝達を受けるようになる。
【００４１】
また、マスター通信部１１１は、後述するＩＤ割当部１１３によって各スレーブバッテリー管理部１２０＿１〜１２０＿Ｎに割り当てられた固有識別子を各スレーブバッテリー管理部１２０＿１〜１２０＿Ｎに伝送する。
【００４２】
ＩＤ割当部１１３は、各スレーブバッテリー管理部１２０＿１〜１２０＿Ｎの割当情報に基づいて、各スレーブバッテリー管理部１２０＿１〜１２０＿Ｎに対する固有識別子を割り当てる。すなわち、割当情報に基づいて、マスターバッテリー管理部１１０に連結された複数のスレーブバッテリー管理部１２０＿１〜１２０＿Ｎの個数を決定して、これらの間に互いに重複しない固有識別子を割り当てることができる。この時、固有識別子は、割当情報のビット数より少ないビット数を有するように割り当てられることができる。
【００４３】
マスターバッテリー管理部１１０は、データ格納部１１２をさらに含むことができる。
【００４４】
データ格納部１１２は、マスター通信部１１１の要請によって、各スレーブバッテリー管理部１２０＿１〜１２０＿Ｎから受信した割当情報を格納する。例えば、スレーブバッテリー管理部１２０＿１〜１２０＿Ｎの各々のＭＡＣアドレスとキャリブレーションを行った時間情報とを対応させて格納することができる。そこで、前述したＩＤ割当部１１３が、データ格納部１１２に格納された割当情報を通じて、複数のスレーブバッテリー管理部１２０＿１〜１２０＿Ｎの個数を決定することもできる。
【００４５】
一方、複数のスレーブバッテリー管理部１２０＿１〜１２０＿Ｎは、第１スレーブバッテリー管理部１２０＿１〜第Ｎスレーブバッテリー管理部１２０＿Ｎで構成され、各々、スレーブ通信部１２１＿１〜１２１＿Ｎ、およびメモリ部１２２＿１〜１２２＿Ｎを含む。第１スレーブバッテリー管理部１２０＿１〜第Ｎスレーブバッテリー管理部１２０＿Ｎの構成および動作は同様であるため、以下では、第１スレーブバッテリー管理部１２０＿１に対する構成のみを詳細に説明する。
【００４６】
スレーブ通信部１２１＿１は、マスター通信部１１１と通信を行う。例えば、ＣＡＮなどのような通信方法を利用して、マスター通信部１１１によって識別子の割当のために要請された割当情報を伝送することができる。この時、前述したように、拡張モードのＣＡＮ通信である場合、割当情報を２９ビット以下のデータブロックに分けて順次マスター通信部１１１に伝送することができる。
【００４７】
また、スレーブ通信部１２１＿１は、マスター通信部１１１から第１スレーブバッテリー管理部１２０＿１に割り当てられた固有識別子情報を受信する。
【００４８】
メモリ部１２２＿１は、スレーブ通信部１２１＿１によって受信した第１スレーブバッテリー管理部１２０＿１の固有識別子を格納する。
【００４９】
以下では、図１〜図３で説明したバッテリー管理システム１００を利用して、マスターバッテリー管理部１１０が複数のスレーブバッテリー管理部１２０＿１〜１２０＿Ｎの各々に固有識別子を割り当てる方法について説明する。
【００５０】
図４は、本発明の実施形態によるマスターバッテリー管理部が複数のスレーブバッテリー管理部の各々に固有識別子を割り当てる方法を示すフローチャートである。
【００５１】
ここで、マスターバッテリー管理部と複数のスレーブバッテリー管理部は、ＣＡＮ通信方法を利用することを一例として挙げて説明する。この時、ＣＡＮ通信は拡張モードであり、一度に送受信できる識別子データは２９ビットである。
【００５２】
図４を参照すれば、マスターバッテリー管理部は、複数のスレーブバッテリー管理部の各々に上位３バイト（２４ビット）のＭＡＣアドレスを要請する（Ｓ１０）。ここで、ＭＡＣアドレスおよびキャリブレーションを行った時間に関する時間情報は、図５に示すように、ＭＡＣアドレスは合計４８ビットで構成されており、キャリブレーションを行った時間情報は合計３３ビットの年／月／日  時：分：秒のような形態で構成されている。したがって、マスターバッテリー管理部は、２９ビット以下のデータブロックに分けて割当情報を順次要請し受信する。
【００５３】
次に、マスターバッテリー管理部は、複数のスレーブバッテリー管理部の各々から上位３バイト（２４ビット）のＭＡＣアドレスを受信して格納する（Ｓ２０）。例えば、受信した相異なる上位３バイト（２４ビット）のＭＡＣアドレスが２個あれば、下記表１のように格納することができる。
【００５４】
【表１】
0005717266.tif 000002
【００５５】
次に、マスターバッテリー管理部は、複数のスレーブバッテリー管理部の各々に下位３バイト（２４ビット）のＭＡＣアドレスと上位４ビットの年度情報を要請し（Ｓ３０）、複数のスレーブバッテリー管理部の各々から下位３バイト（２４ビット）のＭＡＣアドレスと上位４ビットの年度情報を受信して格納する（Ｓ４０）。
【００５６】
ここで、マスターバッテリー管理部は、受信した上位３バイト（２４ビット）のＭＡＣアドレスの各々に対し、このＭＡＣアドレスに該当するスレーブバッテリー管理部に下位３バイト（２４ビット）のＭＡＣアドレスと上位４ビットの年度情報を要請し、この情報を受信する。
【００５７】
例えば、上位３バイト（２４ビット）のＭＡＣアドレスの各々に対応して受信した下位３バイト（２４ビット）のＭＡＣアドレスと上位４ビットの年度情報の各々を下記表２のように格納することができる。
【００５８】
【表２】
0005717266.tif 000003
【００５９】
次に、マスターバッテリー管理部は、複数のスレーブバッテリー管理部の各々に残りの日付／時間情報（２９ビット）を要請し（Ｓ５０）、複数のスレーブバッテリー管理部の各々から残りの日付／時間情報（２９ビット）を受信して格納する（Ｓ６０）。
【００６０】
ここで、マスターバッテリー管理部は、下位３バイト（２４ビット）のＭＡＣアドレスと上位４ビットの年度情報の各々に対し、これに該当するスレーブバッテリー管理部に残りの日付／時間情報（２９ビット）を要請し、この情報を受信する。
【００６１】
例えば、下位３バイト（２４ビット）のＭＡＣアドレスと上位４ビットの年度情報の各々に対応して受信した残りの日付／時間情報（２９ビット）の各々を下記表３のように格納することができる。
【００６２】
【表３】
0005717266.tif 000004
【００６３】
次に、マスターバッテリー管理部は、複数のスレーブバッテリー管理部の各々から受信して格納したＭＡＣアドレスとキャリブレーションを行った時間に関する時間情報を利用して、スレーブバッテリー管理部の各々に対する固有識別子を計算する（Ｓ７０）。すなわち、ＭＡＣアドレスとキャリブレーションを行った時間に関する時間情報に基づいて、マスターバッテリー管理部と連結された複数のスレーブバッテリー管理部の個数を決定して、これらの間に互いに重複しない固有識別子を割り当てることができる。
【００６４】
表３に示された割当情報を参照すれば、マスターバッテリー管理部には７個のスレーブバッテリー管理部が連結されていることが分かり、このような情報を利用して、マスターバッテリー管理部に連結された各スレーブバッテリー管理部に固有識別子を割り当てることができる。例えば、表３に示された順に各スレーブバッテリー管理部に順次増加する番号を割り当てることができる。ここで、各スレーブバッテリー管理部に割り当てられた固有識別子は、割当情報のビット数より少ないビット数で割り当てることができる。したがって、固有識別子を利用すれば、マスターバッテリー管理部が各スレーブバッテリー管理部を容易に識別することにより、各スレーブバッテリー管理部と連結された各バッテリーモジュールをより効率的に制御し管理することができる。
【００６５】
次に、マスターバッテリー管理部は、複数のスレーブバッテリー管理部の各々に割り当てられた固有識別子を伝送する（Ｓ８０）。
【００６６】
上述した本発明によるフローチャートのステップは、上述したステップと異なる順にまたは同時に発生することができる。また、当業者であれば、フローチャートに示すステップが排他的ではなく、他のステップが含まれたり、フローチャートの１つまたはそれ以上のステップが本発明の範囲に影響を及ぼすことなく削除されたりすることができるということを理解するであろう。
【図１】
0005717266.tif 000005
【図２】
0005717266.tif 000006
【図３】
0005717266.tif 000007
【図４】
0005717266.tif 000008
【図５】
0005717266.tif 000009